(57)【要約】【課題】奥行きの制限を受けることなく設置可能で前面のスペースも最小限で済み、安全性や利便性をも考慮した適用範囲の広い埋込型電気配線接続装置を提供する。【解決手段】設置面側に開口部を有する埋込ボックス１０と、埋込ボックス１０の開口部に嵌合可能に構成される蓋枠部２０と、埋込ボックス１０の開口部を開閉可能とするために、蓋枠部２０に設置されスライドするように構成される蓋部３０とを具備する。また、埋込ボックス１０は、電気配線のためのコネクタを固定する開口を有するコネクタ固定枠１２を有し、コネクタ固定枠１２は、埋込ボックス１０の設置面に対して垂直に設けられる。【選択図】図４
2007287492.tif 000002
【特許請求の範囲】
【請求項１】
設置面側に開口部を有する埋込ボックスと、
前記埋込ボックスの設置面に対して垂直に設けられ、電気配線のためのコネクタを固定する開口を有するコネクタ固定枠と、
前記埋込ボックスの開口部に嵌合可能に構成される蓋枠部と、
前記埋込ボックスの開口部を開閉可能とするために、前記蓋枠部にスライド可能に設けられる蓋部と、
を具備することを特徴とする埋込型電気配線接続装置。
【請求項２】
請求項１に記載の埋込型電気配線接続装置において、前記埋込ボックス及び蓋枠部は、蓋枠部を埋込ボックスに固定するための軸通する固定用穴をそれぞれ有し、該固定用穴は、埋込ボックスの設置面に垂直な面に対して垂直な方向を向いていることを特徴とする埋込型電気配線接続装置。
【請求項３】
請求項１又は請求項２に記載の埋込型電気配線接続装置において、前記埋込ボックスは、埋込ボックスを固定する柱への当接位置に、埋込ボックスを設置面側に押し当てるためのバネ手段を有することを特徴とする埋込型電気配線接続装置。
【請求項４】
請求項１乃至請求項３の何れかに記載の埋込型電気配線接続装置において、前記コネクタ固定枠は、前記埋込ボックスの開口部を中心位置に、複数設けられることを特徴とする埋込型電気配線接続装置。
【請求項５】
請求項１乃至請求項４の何れかに記載の埋込型電気配線接続装置において、前記コネクタ固定枠は、その枠面が埋込ボックスの開口部側に向くように移動可能に構成されることを特徴とする埋込型電気配線接続装置。
【請求項６】
請求項１乃至請求項５の何れかに記載の埋込型電気配線接続装置において、前記蓋部は、蓋部のスライド方向に沿ってアーチ形状を有することを特徴とする埋込型電気配線接続装置。
【請求項７】
請求項１乃至請求項５の何れかに記載の埋込型電気配線接続装置において、前記蓋部は、複数のプレートからなり、重ね合わせ可能とすることで開閉可能に構成されることを特徴とする埋込型電気配線接続装置。
【請求項８】
請求項１乃至請求項５の何れかに記載の埋込型電気配線接続装置において、前記蓋部は、蓋部の一方側に巻き取り可能に構成されることを特徴とする埋込型電気配線接続装置。
【請求項９】
請求項１乃至請求項８の何れかに記載の埋込型電気配線接続装置において、前記蓋枠部は、開閉速度を調整するためのダンパを有することを特徴とする埋込型電気配線接続装置。
【請求項１０】
請求項１乃至請求項９の何れかに記載の埋込型電気配線接続装置において、前記蓋部は、その表面側の色や素材を交換可能に構成されることを特徴とする埋込型電気配線接続装置。
【発明の詳細な説明】
【技術分野】
【０００１】
本発明は埋込型電気配線接続装置に関し、特に、電気配線のためのコネクタを埋込ボックス内に収納しその開口部に蓋を設けた埋込型電気配線接続装置に関する。
【背景技術】
【０００２】
電力用のコンセントや、電話やネットワークケーブル等の通信用のジャック等を壁面や床面、デスク等に固定するための装置には、いくつかのタイプがある。最も一般的なものは、開口を有する設置面に埋込ボックスを埋め込み、開口部側にコンセントやジャック等の差込口を向けて固定するものである。このような埋込型の電気配線接続装置では、コンセントプラグやモジュラを差込口に差し込むと、設置面に対して垂直方向にプラグ等が突出するため外観上好ましくないばかりではなく、足を引っ掛けてしまったり物をぶつけてしまったりする危険性がある。
【０００３】
また、コンセントとプラグの接続部が露出しているため、埃や水分等が溜まりやすく、これによりトラッキング現象が生じて火災が発生する危険性もあった。さらに、プラグやモジュラが突出しているため、タンス等の家具を壁面に当接して設置したい場合等に障害になっていた。
【０００４】
そこで、コンセント等のコネクタ自体を壁面へ埋め込み、壁面からプラグが突出しないようにし、接続部への埃等の堆積を避けるように蓋を設けた電気配線接続装置が幾つか開発された（特許文献１−６）。
【０００５】
【特許文献１】実開平６−５２３２１号公報
【特許文献２】実開昭５９−１２９３３０号公報
【特許文献３】実開平３−１３１０８４号公報
【特許文献４】実開昭５９−１０７５２３号公報
【特許文献５】実開昭６０−１１５４７０号公報
【特許文献６】特開平１１−８６９９４号公報
【発明の開示】
【発明が解決しようとする課題】
【０００６】
しかしながら、従来の埋込型電気配線接続装置、例えば特許文献１−５は、すべてコンセント自体は開口部側を向いており、単にコンセントモジュールを壁面内の奥に追いやっただけの構造である。ところが、一般的な住宅等では、壁面内の奥行きは例えば４０ｍｍと決まっているため奥行きの制限があり、単に奥にコンセント自体をオフセットした構造では使用できないことが多かった。また、例えばデスク上に適用する場合にも、電気配線接続装置全体の厚みが厚いため、設置制限が多いものであった。さらに、特許文献６の場合には、コンセントは埋込ボックスの側面に設けられているため奥行きの制限を受けることはないと考えられるが、蓋がいわゆる片開きドアタイプであるため、蓋を開いたときのスペースを壁前面に確保する必要があり、タンス等を壁面に当接して設置する場合やデスク上にコンセントを設ける場合等に制限を受けることが多く、様々な設置位置に適用するのには使い難いものであった。
【０００７】
本発明は、斯かる実情に鑑み、奥行きの制限を受けることなく設置可能で前面のスペースも最小限で済み、安全性や利便性をも考慮した適用範囲の広い埋込型電気配線接続装置を提供しようとするものである。
【課題を解決するための手段】
【０００８】
上述した本発明の目的を達成するために、本発明による埋込型電気配線接続装置は、設置面側に開口部を有する埋込ボックスと、埋込ボックスの設置面に対して垂直に設けられ、電気配線のためのコネクタを固定する開口を有するコネクタ固定枠と、埋込ボックスの開口部に嵌合可能に構成される蓋枠部と、埋込ボックスの開口部を開閉可能とするために、蓋枠部にスライド可能に設けられる蓋部とを具備するものである。
【０００９】
ここで、埋込ボックス及び蓋枠部は、蓋枠部を埋込ボックスに固定するための軸通する固定用穴をそれぞれ有し、該固定用穴は、埋込ボックスの設置面に垂直な面に対して垂直な方向を向いていれば良い。
【００１０】
また、埋込ボックスは、埋込ボックスを固定する柱への当接位置に、埋込ボックスを設置面側に押し当てるためのバネ手段を有していても良い。
【００１１】
また、コネクタ固定枠は、埋込ボックスの開口部を中心位置に、複数設けられても良い。
【００１２】
さらに、コネクタ固定枠は、その枠面が埋込ボックスの開口部側に向くように移動可能に構成されても良い。
【００１３】
また、蓋部は、蓋部のスライド方向に沿ってアーチ形状を有していれば良い。
【００１４】
さらに、蓋部は、複数のプレートからなり、重ね合わせ可能とすることで開閉可能に構成されても良い。
【００１５】
また、蓋部は、蓋部の一方側に巻き取り可能に構成されても良い。
【００１６】
さらに、蓋枠部は、開閉速度を調整するためのダンパを有しても良い。
【００１７】
また、蓋部は、その表面側の色や素材を交換可能に構成されても良い。
【発明の効果】
【００１８】
本発明の埋込型電気配線接続装置には、設置スペースの制限を受けにくいため利便性高く、またプラグ等が突出することなく埃等の堆積も避けられるため安全性が高いという利点がある。本発明によれば、設置面から蓋部が突出することがないので、蓋部を開いた状態であっても安全に使用することが可能となる。
【発明を実施するための最良の形態】
【００１９】
以下、本発明を実施するための最良の形態を図示例と共に説明する。図１−図４は、本発明の埋込型電気配線接続装置の実施の形態の一例を説明するための図である。図１は本発明の埋込型電気配線接続装置の埋込ボックス１０の斜視図であり、図２は蓋枠部２０の斜視図であり、図３は蓋部３０の斜視図である。そして、図４はこれらを壁面に設置した場合の一例を説明するための斜視図である。
【００２０】
本発明の埋込型電気配線接続装置は、埋込ボックス１０と蓋枠部２０と蓋部３０から主になるものである。図１に示すように、埋込ボックス１０は、壁面や床面、デスク上等の設置面に設けられた設置穴に一致するような開口部１１を設置面側に有するものであり、壁面等の裏面側に埋め込まれて設置されるものである。埋込ボックス１０には、埋込ボックスの設置面、例えば壁面に対して垂直にコネクタ固定枠１２が設けられており、コネクタ固定枠１２には、電気配線のためのコネクタを固定する開口１３が設けられている。ここで、図示例ではコネクタ固定枠１２は開口部１１の左側に設けられているが、本発明はこれに限定されず、右側であっても良く、また上下側に設けても勿論構わない。
【００２１】
なお、コネクタとは、具体的にはコンセントやジャック等のように、プラグやモジュラと嵌合して電気的接続を提供するものである。また、埋込ボックス１０には、適宜ケーブル通し用の穴１４等が設けられている。さらに、埋込ボックス１０には、コネクタ固定枠１２以外にも、他のコネクタを固定するための別のコネクタ固定枠１５が設けられていても良い。例えば、図１に示す例では、コネクタ固定枠１５は、埋込ボックス１０の開口部１１を中心に、コネクタ固定枠１２に対向するように設けられている。なお、本発明はこれに限定されず、さらに別のコネクタ固定枠が設けられていても良い。例えば埋込ボックス１０の開口部１１を中心に、左右だけでなく上下にもコネクタ固定枠を設けることも可能である。より具体的には、例えばネットワーク機器と組み合わせて本発明の埋込型電気配線接続装置を用いた場合、通信ケーブルと機器の電源ケーブルは平行して設置しないことが望まれるため、電源ケーブルを接続するコンセントは図中左側のコネクタ固定枠１２に固定し、通信ケーブルを接続するモジュラは図中右側のコネクタ固定枠１５に固定するように利用することが可能となる。
【００２２】
さらに、埋込ボックス１０には、蓋枠部２０を固定するための固定用穴１６が設けられている。固定用穴１６は、後述する蓋枠部にも設けられた固定用穴と軸通する位置に設けられており、図１に示した例では、固定用穴１６は、埋込ボックスの底面に垂直に設けられている。そして、固定用穴１６の埋込ボックス１０の底面を挟んで反対側には、雌ネジ等を固定するための構造が提供されている。なお、固定用穴１６は、開口部１１側に向けられて設けられるようにしても良い。しかしながら、その場合には埋込ボックス内の正面から見える位置に、ネジ穴を提供するための凸部が設けられることになるため、開口部１１が狭くなってしまうので好ましくない。本発明の配線接続装置の場合、例えばコンセントの口が開口部内で横方向を向いているため、ケーブルの抜き差しを行うときには、開口部に手を挿入する場合もある。このため、開口部に一部狭くなる部分があると、手を挿入しづらくなってしまう。また、蓋部３０を開けた状態で、正面から固定ネジが見えると外観上も好ましくない。したがって、固定用穴１６は、埋込ボックスの底面に垂直な方向、即ち、埋込ボックス設置面に垂直な面に対して垂直な方向を向いていることが好ましい。
【００２３】
さらに、図示例の場合には、固定用穴１６の開口部１１を中心に対向する上部位置には、蓋枠部２０を固定するための爪固定穴１８が設けられている。しかしながら、本発明はこれに限定されず、上部位置もネジ穴とすることも勿論可能である。また、埋込ボックス１０と蓋枠部２０で壁面を挟む形でこれらが固定されることになるため、壁面の厚さによって固定位置を変えられるように、爪固定穴１８が奥行き方向に複数設けられていても良い。なお、これに対応して同様に固定用穴１６も複数設けられていても良いし、無段階で調整できるように奥行き方向にスリット状の固定用穴を構成しても良い。
【００２４】
次に、蓋枠部２０は図２に示すように、埋込ボックス１０の開口部１１に嵌合可能に構成されている。蓋枠部２０は、埋込ボックス１０へ嵌め込んだときに固定できるような固定用穴２６と爪部２８とが設けられており、壁面等を挟んだ状態で固定される。また、蓋枠部２０には、蓋部３０をスライド可能に固定するためのレール部２１が設けられている。そして、図示例では、後述の蓋部３０に設けられたラッチを受けるためのキャッチャ２２が設けられており、蓋部３０を押圧するたびにロックとロック解除を繰り返すようなプッシュ式ラッチスイッチを構成している。また、蓋枠部２０にはバネ受凸部２３が設けられており、蓋部３０に設けられたバネ受凹部との間にバネを配置可能としている。さらに、蓋枠部２０には、蓋部３０に設けられたラックと噛合するピニオンを有するダンパ２４も設けられている。これは、蓋部３０を開く際には、例えばバネの伸張力を利用するが、このときに急激に蓋部３０が開かないようにするための開閉速度調整用に設けられたものである。
【００２５】
さらに、蓋枠部２０には、差し込んだプラグからのケーブルを這わすための凹部２５も設けられている。なお、凹部２５は、蓋部３０側に設けられるように構成しても勿論構わない。また、プッシュ式ラッチスイッチについても、ラッチを蓋枠部に設け、キャッチャを蓋部に設けるようにしても勿論構わない。さらに、ラッチスイッチやダンパやバネに関しても、図示例の構成には限定されず、蓋部がスライドすることで開閉可能なものであれば如何なる構成であっても構わない。
【００２６】
図３又は図４に示すように、蓋部３０は蓋部のスライド方向に沿ってアーチ形状を有するように構成されている。図示例では、蓋部３０の裏面側（壁面側）には、蓋枠部２０のレール部２１に噛合するレール部３１と、蓋枠部２０のキャッチャ２２に嵌合するラッチ３２と、蓋枠部２０のバネ受凸部２３との間にバネを配置可能とするバネ受凹部３３と、蓋枠部２０のダンパ２４のピニオンに噛合するラック３４とが設けられている。なお、蓋部３０の表面側は、その色や素材を交換可能に構成することも可能である。また、必要によりネームプレート等を挿入可能なポケット等を設けることも可能である。
【００２７】
上述のように構成された埋込ボックス１０、蓋枠部２０、蓋部３０を壁面４０に設置した場合の外観斜視図を図４に示す。図示例は、蓋部３０を開いた状態を示している。このように、本発明の埋込型電気配線接続装置では、埋込ボックス１０の開口部１１が大きく開いており、プラグをコンセント４５に接続する動作等に障害となる突出部等がない。また、蓋部を開いたときに、正面から見て埋込ボックス内に固定ネジ等が見えないので、外観も損ねない。さらに、開口部１１から見える埋込ボックス１０の正面の奥の面はフラットに構成可能であるため、必要によりポケット等を設けたり配線の説明等を表示するようにすることも勿論可能である。
【００２８】
さらに、コンセント４５やジャック等のコネクタを固定するためのコネクタ固定枠１２は、その枠面が埋込ボックス１０の開口部１１側に向くように移動可能に構成されても良い。これにより、コネクタ固定枠１２に固定されたコンセント４５等のコネクト面を開口部１１側に向けることが可能となるため、さらに容易に配線を接続可能となる。なお、コネクタ固定枠１２を移動可能に構成するのではなく、コンセント４５等のコネクタ自体を、そのコネクト面が開口部１１側に向くように移動可能に構成したものを適用しても勿論構わない。これらの可変手段の構成は、従来の又は今後開発され得るあらゆる手段を適用することが可能である。例えばプッシュ式ラッチスイッチと蝶番等を用いて、１回の押圧で開口部１１側に向き、もう一度押圧すると壁面に垂直方向に向いて固定されるようにすること等が可能である。
【００２９】
図５は、本発明の埋込型電気配線接続装置の中心付近の縦断面図である。図中、図１−３と同一の符号を付した部分は同一物を表わしている。壁面４０の内側には、例えば奥行きが４０ｍｍのところに内壁４１が設けられており、その間に埋込ボックス１０が埋め込まれている。図示のとおり、埋込ボックス１０と蓋枠部２０は、上側が爪固定穴１８と爪部２８で固定され、下側がネジ４６により固定されている。ネジを図面上水平方向、即ち、開口部１１に対して垂直方向にネジ締めするように構成した場合には、ネジにより締め付けるための凸部が必要になってしまうため、開口内の空間がフラットではなくなってしまう。しかしながら、本発明の埋込型電気配線接続装置では、図示のように垂直方向にネジを締め付けるように構成することで、埋込ボックスの開口内の空間を略フラットな形状とすることが可能となる。図５に示すように、蓋枠部２０の下部にはケーブル４３を這わすための凹部２５が設けられており、プラグ４４をコンセント４５に挿した場合であっても、確実に蓋部３０を閉じることを可能としている。
【００３０】
図６は、本発明の埋込型電気配線接続装置の中心付近の横断面図である。図中、図１−３と同一の符号を付した部分は同一物を表わしている。図示例では、強電用と弱電用のコネクタを左右に振り分けたものを示している。即ち、図中左側にコンセント４５を配置し、右側にジャック４９を配置している。このように任意にコネクタを配置することが可能である。また、埋込ボックス１０は、間柱や胴縁等の柱５０に固定されるが、その当接位置にバネ部１９を設けることも可能である。本発明の埋込型電気配線接続装置に用いられる埋込ボックス１０は、垂直方向に固定用穴１６を有しているため、埋込ボックス１０と蓋枠部２０とを、壁面４０を挟んで締め付ける方向への力が弱くなる。そのため、バネ部１９を設けることで、埋込ボックスを設置面側に押し当てるような力が加えられるように構成している。
【００３１】
なお、図６のように、蓋部３０はスライド方向に沿ってアーチ形状を有するように構成されているため、ケーブル４３等を外部へ出すための最小限のスペースを提供することが可能となっている。しかしながら、本発明に用いられる蓋部はこれに限定されず、ケーブルを埋込ボックス外部に排出できる構造であれば、アーチ形状ではなくフラット面を有する蓋であっても構わない。さらに、本接続装置を床面に設置する場合には、ある程度の圧力に耐え得るような材質等で蓋部や他の部位を構成すれば良い。
【００３２】
次に、本発明の埋込型電気配線接続装置の他の例を説明する。上述の例ではアーチ形状を有する蓋部を用いて説明したが、これはシャッタ幕タイプや巻取りタイプの蓋とすることも勿論可能である。図７は、蓋部をシャッタ幕タイプで構成した例を説明するための縦断面図、図８は、蓋部を巻取りタイプで構成した例を説明するための縦断面図である。図中、図１−３等と同一の符号を付した部分は同一物を表わしているため、詳説は省略する。図７に示すように、シャッタ幕タイプの蓋部３０’は、複数のプレートからなり、重ね合わせ可能とすることで開口部１１の開閉を可能としている。プレートのスライド方向の両側端部が、所定のレール等から構成され、プレートはスライド方向のみに移動可能に構成されている。また、図８の例では、巻取りタイプの蓋部３０’’から構成されており、巻取り軸３９に蓋部を巻き取ることにより、開口部１１の開閉を可能としている。このように構成しても、本発明の目的は達成可能である。
【００３３】
なお、本発明の埋込型電気配線接続装置は、上述の図示例にのみ限定されるものではなく、本発明の要旨を逸脱しない範囲内において種々変更を加え得ることは勿論である。
【００３４】
上述の図示例では、蓋部はすべて一方向のみにスライド可能に構成されているが、本発明はこのように一方向にのみスライドする蓋構造には限定されるものではない。例えば、壁面等の設置面に対して蓋部が面一となる位置で開口部を塞ぐ状態となるように構成し、設置面方向（前後方向）に押圧する動作により設置面から一旦手前に多少突出したで上下方向にスライドするように構成することも可能である。
【００３５】
また、蓋部のスライド動作についても、上述の例ではバネ等を用いてその伸張力で蓋部の開閉を行っているが、本発明はこれに限定されず、モータ等を用いた電動式のスライド蓋とすることも勿論可能である。
【図面の簡単な説明】
【００３６】
【図１】図１は、本発明の埋込型電気配線接続装置の埋込ボックスの斜視図である。
【図２】図２は、本発明の埋込型電気配線接続装置の蓋枠部の斜視図である。
【図３】図３は、本発明の埋込型電気配線接続装置の蓋部の斜視図である。
【図４】図４は、本発明の埋込型電気配線接続装置を壁面に設置した場合の一例を説明するための斜視図である。
【図５】図５は、本発明の埋込型電気配線接続装置の中心付近の縦断面図である。
【図６】図６は、本発明の埋込型電気配線接続装置の中心付近の横断面図である。
【図７】図７は、本発明の埋込型電気配線接続装置の蓋部をシャッタ幕タイプで構成した例を説明するための縦断面図である。
【図８】図８は、本発明の埋込型電気配線接続装置の蓋部を巻取りタイプで構成した例を説明するための縦断面図である。
【符号の説明】
【００３７】
１０    埋込ボックス
１１    開口部
１２    コネクタ固定枠
１３    開口
１４    ケーブル通し用穴
１５    コネクタ固定枠
１６    固定用穴
１８    爪固定穴
１９    バネ部
２０    蓋枠部
２１    レール部
２２    キャッチャ
２３    バネ受凸部
２４    ダンパ
２５    凹部
２６    固定用穴
２８    爪部
３０    蓋部
３１    レール部
３２    ラッチ
３３    バネ受凹部
３４    ラック
３９    巻取り軸
４０    壁面
４１    内壁
４３    ケーブル
４４    プラグ
４５    コンセント
４６    ネジ
４９    ジャック
５０    柱
【図１】
2007287492.tif 000003
【図２】
2007287492.tif 000004
【図３】
2007287492.tif 000005
【図４】
2007287492.tif 000006
【図５】
2007287492.tif 000007
【図６】
2007287492.tif 000008
【図７】
2007287492.tif 000009
【図８】
2007287492.tif 000010